(57)【要約】【課題】  顧客からのエレベーターの運転モード変更要求を受けて、顧客ＰＣ上にてその動作検証及び見積もり結果表示が可能となる既設エレベーター遠隔仕様検討システムを得る。【解決手段】  エレベータ群管理盤１に接続された顧客ＰＣ４とインターネットを介して接続された仕様検討サー２バは、顧客ＰＣ４から受信したエレベータの運転モード変更要求に基づき、仕様検討サーバ２によって参照されるデータベース３に格納された運転仕様情報を用いて運転モード変更に伴う仕様を検討する仕様検討手段と、この仕様検討手段による仕様検討結果から、データベース３に格納された運転モード別の見積もり価格に基づき、運転モード変更要求仕様に対する見積もり価格を演算する見積もり演算手段と、仕様検討結果を顧客ＰＣ４に動画表示展開する動画表示展開手段とにより構成されているものである。【選択図】図１
2006131325.tif 000002
【特許請求の範囲】
【請求項１】
既設エレベータを管理するエレベータ群管理盤に接続された顧客パーソナルコンピュー
タとインターネットを介して接続され、上記顧客パーソナルコンピュータから上記エレベ
ータの運転モード変更要求を受信し、この運転モード変更要求に基づき仕様検討を行い、
検討結果を上記顧客パーソナルコンピュータに表示する仕様検討サーバ、及びこの仕様検
討サーバにより参照され、上記既設エレベータの運転仕様情報及び上記運転モード毎の見
積もり価格が格納されたデータベースを備え、上記仕様検討サーバは、上記顧客パーソナ
ルコンピュータから受信した運転モード変更要求に基づき、上記データベースに格納され
た運転仕様情報を参照して上記運転モード変更要求に対応する仕様を検討する仕様検討手
段と、この仕様検討手段による仕様検討結果から、上記データベースに格納された運転モ
ード別の見積もり価格に基づき上記運転モード変更要求仕様に対する見積もり価格を演算
する見積もり演算手段と、上記仕様検討結果を上記顧客パーソナルコンピュータに動画表
示展開する動画表示展開手段とにより構成されていることを特徴とする既設エレベータ遠
隔仕様検討システム。
【請求項２】
上記データベースは、エレベータプログラムを生成するエレベータプログラム生成シス
テムを格納し、上記仕様検討サーバは、上記データベースに格納されたエレベータプログ
ラム生成システムにより上記運転モード変更要求仕様に対応するエレベータプログラムを
生成し、上記顧客パーソナルコンピュータに送信することを特徴とする請求項１記載の既
設エレベータ遠隔仕様検討システム。
【発明の詳細な説明】
【技術分野】
【０００１】
この発明は、既設エレベーターと接続された顧客パーソナルコンピュータ（以下、ＰＣ）
とインターネットを介して情報交換することにより、動作検証及び見積り結果を顧客ＰＣ
に表示するようにした既設エレベーター遠隔仕様検討システムに関するものである。
【背景技術】
【０００２】
ビル事務所契約者の変更やオーナーの変更など、ビル用途が変更になった場合には、エ
レベーター運転モード変更要求が発生するが、この運転モード変更要求に対しては、変更
された後の最終的なエレベーターの動作や既にある運転動作への影響などを顧客にて検証
されないまま、変更が契約される場合があった。
特許文献１には、建築設計事務所が昇降機設備を計画する際に、昇降機の製造・販売業
者が基本仕様やその運行シミュレーションを行い、推奨仕様をインターネットを介してま
たはその他の手段により提供するようにしたものが、示されている。
また、特許文献２には、ユーザ端末の画面に入力されたエレベータの仕様に基づき、エ
レベータの見積もり価格及びエレベータ各部のシミュレーション動作をインターネットを
介して表示させるものが、示されている。
【０００３】
【特許文献１】特開２００２−６８６１０号公報（第５〜８頁、図１）
【特許文献２】特開２００３−１７１０６９号公報（第７〜２１頁、図１）
【発明の開示】
【発明が解決しようとする課題】
【０００４】
従来のエレベーターにおいては、上述のように、ビル事務所契約者の変更やオーナーの
変更など、ビル用途が変更になった場合に発生する既設エレベーターに対する運転モード
変更要求では、運転モード変更要求に対して、変更された後の最終的なエレベーターの動
作や既にある運転動作への影響などを顧客にて検証されないまま、運転変更が契約される
場合があった。そのため、顧客からの運転モード変更要求に対する仕様検討・価格などに
長期間を要し、強いては仕様違いという不具合に陥ることがあるという問題があった。
特許文献１、特許文献２は、インターネットを介して提供するものは、新規設置のとき
のものであり、既設エレベータの運行モード変更に伴う変更仕様や、それに基づく動作シ
ミュレーションを提供するものではなかった。
【０００５】
この発明は、上記の課題を解決するためになされたものであり、顧客からのエレベータ
ーの運転モード変更要求を顧客ＰＣからインターネットを介して送信し、その変更要求に
対するエレベーターの動作検討結果をインターネットを介して顧客ＰＣ上にて動画表示展
開することにより、顧客ＰＣ上にてその動作検証及び見積もり結果表示が可能となる既設
エレベーター遠隔仕様検討システムを得ることを目的とする。
【課題を解決するための手段】
【０００６】
この発明に係わる既設エレベータ遠隔仕様検討システムにおいては、既設エレベータを
管理するエレベータ群管理盤に接続された顧客パーソナルコンピュータとインターネット
を介して接続され、顧客パーソナルコンピュータからエレベータの運転モード変更要求を
受信し、この運転モード変更要求に基づき仕様検討を行い、検討結果を顧客パーソナルコ
ンピュータに表示する仕様検討サーバ、及びこの仕様検討サーバにより参照され、既設エ
レベータの運転仕様情報及び運転モード毎の見積もり価格が格納されたデータベースを備
え、仕様検討サーバは、顧客パーソナルコンピュータから受信した運転モード変更要求に
基づき、データベースに格納された運転仕様情報を参照して運転モード変更要求に対応す
る仕様を検討する仕様検討手段と、この仕様検討手段による仕様検討結果から、データベ
ースに格納された運転モード別の見積もり価格に基づき運転モード変更要求仕様に対する
見積もり価格を演算する見積もり演算手段と、仕様検討結果を顧客パーソナルコンピュー
タに動画表示展開する動画表示展開手段とにより構成されているものである。
【発明の効果】
【０００７】
この発明は、以上説明したように、既設エレベータを管理するエレベータ群管理盤に接
続された顧客パーソナルコンピュータとインターネットを介して接続され、顧客パーソナ
ルコンピュータからエレベータの運転モード変更要求を受信し、この運転モード変更要求
に基づき仕様検討を行い、検討結果を顧客パーソナルコンピュータに表示する仕様検討サ
ーバ、及びこの仕様検討サーバにより参照され、既設エレベータの運転仕様情報及び運転
モード毎の見積もり価格が格納されたデータベースを備え、仕様検討サーバは、顧客パー
ソナルコンピュータから受信した運転モード変更要求に基づき、データベースに格納され
た運転仕様情報を参照して運転モード変更要求に対応する仕様を検討する仕様検討手段
と、この仕様検討手段による仕様検討結果から、データベースに格納された運転モード別
の見積もり価格に基づき運転モード変更要求仕様に対する見積もり価格を演算する見積も
り演算手段と、仕様検討結果を顧客パーソナルコンピュータに動画表示展開する動画表示
展開手段とにより構成されているので、顧客パーソナルコンピュータ上にて運転モード変
更要求仕様の動作検証を行えると共に見積もり結果の表示を行うことができ、これらのた
めに長時間を要することがなくなる。
【発明を実施するための最良の形態】
【０００８】
実施の形態１．
図１は、この発明の実施の形態１による既設エレベーター遠隔仕様検討システムを示す
構成図である。
図１において、エレベーター群管理盤１は、Ｘビルに設置されたエレベーターを管理す
る。仕様検討サーバー２は、昇降機メーカーが開設する既設エレベーター遠隔仕様検討の
ために用いられるサーバである。データベース３は、仕様検討サーバー２に接続され、各
種のエレベーター運転情報を格納する。顧客ＰＣ４は、Ｘビルオーナーや管理者のインタ
ーネット端末である。インターネット（ＩＴ）５は、仕様検討サーバー２と顧客ＰＣ４、
及びエレベーター群管理盤１と顧客ＰＣ４とを接続する。
仕様検討サーバー２は、データベース３に格納されている該当エレベーターの既設運転
仕様情報を抜き出し、顧客からの運転モード変更要求仕様に対し、必要となる仕様情報を
入力してもらうための入力画面を顧客ＰＣ４に表示させる機能及びこの入力画面からの顧
客入力情報を元に、顧客からの運転モード変更要求仕様の実施可否の判定を行なう機能を
有する仕様検討手段と、運転モード別に見積もり価格が登録された見積もりデータベース
から運転モード変更要求仕様に対する見積もり価格を演算する見積もり演算手段と、運転
モード変更要求仕様によるエレベーター動作検討結果を顧客ＰＣ４の画面上に絵的に動画
表示させる動画表示展開手段とを備えている。
【０００９】
図２は、この発明の実施の形態１による既設エレベーター遠隔仕様検討システムにおけ
る顧客ＰＣ、仕様検討サーバー及びエレベーター群管理盤間のプログラムにしたがって実
行される動作の流れ及びデータの流れを示すフローチャートである。
図３は、この発明の実施の形態１による既設エレベーター遠隔仕様検討システムのデー
タベースの構成を示す図である。
図３において、データベース３は、ビルＩＤ（エレベータ号機名と運転パターンデータ）、
運転モード別見積もりデータ、エレベータプログラム生成システムを含んでいる。
図４は、この発明の実施の形態１による既設エレベーター遠隔仕様検討システムの顧客
ＰＣでの入出力画面イメージを示す図である。
図４（Ａ）〜（Ｄ）は、顧客ＰＣに表示される各画面である。
【００１０】
図５は、この発明の実施の形態１による既設エレベーター遠隔仕様検討システムの仕様
検討手段の詳細フローを示す図である。
図５は、図２のステップ３、４、７を詳細に説明するものである。
図６は、この発明の実施の形態１による既設エレベーター遠隔仕様検討システムの見積
もり演算手段の詳細フローを示す図である。
図６は、図２のステップ９を詳細に説明するものである。
図７は、この発明の実施の形態１による既設エレベーター遠隔仕様検討システムの動作
表示展開手段の詳細フローを示す図である。
図７は、図２のステップ１１を詳細に説明するものである。
【００１１】
次に、図２のフローチャートに基づき、この発明の動作を説明する。
まず、顧客ＰＣ４と接続されたエレベーター群管理盤１から、既設エレベーターの仕様
情報を、インターネット５を介して顧客ＰＣ４にダウンロードする（ステップ１）。
次に、顧客ＰＣ４の図４（Ａ）画面にて、ビルＩＤ、該当号機名、運転モード変更要求
項目などを入力し、インターネットを介して仕様検討サーバー２に接続し（ステップ２）、
仕様検討サーバー２は、その指令に基づき、該当エレベーターの運転情報データをデータ
ベース３から取り込み（ステップ３）、取り込んだデータを図５の仕様検討手段（ステッ
プ４）にて仕様検討画面に展開し、顧客ＰＣ４にダウンロードする（ステップ５）。その
結果、顧客ＰＣ４には図４（Ｂ）が表示される。
次に、顧客ＰＣ４に表示された図４（Ｂ）にて、詳細要求仕様情報を入力し、インター
ネットを介して仕様検討サーバー２に再接続する（ステップ６）。
仕様検討サーバー２は、その指令に基づきステップ３の該当エレベーターの運転情報デ
ータを基に仕様検討し（ステップ７）、仕様検討結果がＮＧの場合には、検討結果がＮＧ
であり再度仕様入力することを、顧客ＰＣ４に返信する（ステップ８）。
【００１２】
仕様検討サーバー２は、ステップ７で、仕様検討結果がＯＫであれば、前記運転モード
変更要求仕様に対応した見積価格を図６の見積もり演算手段にて算出し、顧客ＰＣ４に見
積もり結果及び製品ソフトウェアデータ伝送有無・動画表示展開要否の確認を返信する
（ステップ９）。
顧客は、見積もり結果を確認後、図４（Ｃ）画面のように、製品ソフトウェアデータ伝
送有無・動画表示展開要否結果を仕様検討サーバー２に返信する（ステップ１０）。仕様
検討サーバー２は、製品ソフトウェアデータ伝送有りの場合、データベース３にて最終顧
客運転モード変更要求仕様に対応した製品ソフトウェアデータ（エレベータプログラム）
を生成し、製品ソフトウェアデータ伝送要求無しの場合は、次処理に進まずシステムを終
了する。また、動画表示展開有りの場合にのみ、運転パターンデータを図７の動画表示展
開手段にて動画表示展開する（ステップ１１）。
【００１３】
仕様検討サーバー２は、製品ソフトウェアデータ伝送有りでかつ動画表示展開要の場合
は、顧客ＰＣ４に最終製品ソフトウェアデータ及びその動作確認を行う動作表示データを
送信する。
製品ソフトウェアデータ伝送有りでかつ動画表示展開無しの場合は、顧客ＰＣ４に最終
製品ソフトウェアデータのみを送信する（ステップ１２）。その結果、顧客ＰＣ４には図
４（Ｄ）が表示される。
次に、顧客ＰＣ４に表示された図４（Ｄ）にて、顧客は、仕様検討サーバー２から送信
された動画表示データを顧客ＰＣ４上で起動し、動作検証を行う（ステップ１３）。動作
検証結果ＮＧであれば、再度ステップ６にて運転モード変更要求仕様を入力する。動作検
証結果がＯＫであれば、実行釦押下にて最終製品ソフトウェアデータが顧客ＰＣ４からエ
レベーター群管理盤１にダウンロードされ（ステップ１４）、エレベーター運転パターン
が更新される。また、同時に本要求仕様に対する対価がインターネットを介し支払われる。
【００１４】
次に、仕様検討サーバー２の仕様検討手段の動作を図５に基づき説明する。
図２のステップ２で、顧客ＰＣ４からビルＩＤ、該当号機、運転モード変更要求仕様が
送信されると、データベース３への情報回示指令を発行する（ステップ３１）。これを受
けたデータベース３は、該当ビル、号機名を元にして既設エレベータの運転パターン仕様
を検索し、仕様検討サーバー２に回示する（ステップ３２）。次いで、回示された既設エ
レベータの運転パターン仕様及び運転モード変更要求仕様より、実現性検討に必要な必須
情報を展開する（ステップ４）。この必須情報は、顧客ＰＣ４に送信され、顧客ＰＣ４の
画面で顧客により不足情報が入力され（図２のステップ６）、これを仕様検討サーバー２
に送信して、既設エレベータの運転パターン仕様と必須情報により、運転モード変更要求
仕様が実施できるか否かの判定を行う（ステップ７）。この判定では、仕様の組合せなど
で実施可能か否かなどを判定する。
【００１５】
次に、仕様検討サーバー２の見積もり演算手段の動作について、図６に基づき説明する。
図２のステップ７の顧客ＰＣ４から送信された運転モード変更要求仕様に該当する仕様
を運転モード別に見積もり額が登録されたデータベースから検索する（ステップ９１）。
次いで、検索された見積もり価格を演算する（ステップ９２）。これにより、運転モード
変更要求仕様に対応する見積もり価格が算出される。
【００１６】
次に、仕様検討サーバー２の動画展開手段の動作について、図７に基づき説明する。
図２のステップ１０の運転モード変更要求に対する製品ソフトウェアデータ伝送指令を
顧客ＰＣ４から受けて、データベース３内のエレベータプログラム生成システムにより、
該当するエレベータプログラム（製品ソフトウェア）を作成する（ステップ１１１）。次
いで、顧客ＰＣ４へのエレベータプログラムのダウンロードを行う（ステップ１１２）。
運転パターンデータを、エレベータプログラムをダウンロードした顧客ＰＣ４（動作シミ
ュレータＰＣ）上で動画表示できるデータ形式に変更する（ステップ１１３）。このデー
タ形式に変更された動画表示データを、顧客ＰＣ４上に送信する（図２のステップ１２）。
これにより顧客ＰＣ４上で、エレベータプログラムによる動作検証を行うことができる。
【００１７】
実施の形態１によれば、顧客ＰＣと接続されたエレベーターにおいて、顧客からのエレ
ベーターの運転モード変更要求仕様を顧客ＰＣからインターネットを介して仕様検討サー
バに送信し、その要求仕様に対するエレベーターの動作検討結果をインターネットを介し
て顧客ＰＣ上にて動画表示展開することにより、顧客ＰＣ上にてその動作検証を行えると
共に顧客ＰＣ上に見積もり結果の表示が可能となる。
また、仕様検討手段と、見積もり演算手段と、動画表示展開手段とを備えたので、従来
のエレベーターにおいて起こった、ビル事務所契約者の変更・オーナーの変更など、ビル
用途が変更になった場合に既設エレベーターに対する運転モード変更要求が発生した場合
に、運転モード変更要求に対する最終的なエレベーターの動作や既にある運転動作への影
響などを顧客にて検証されないまま契約されることや、運転モード変更要求に対する仕様
検討・価格の見積もりなどに長期間を要し、強いては仕様違いという不具合に陥ることを
防ぐことが可能になる。
【図面の簡単な説明】
【００１８】
【図１】この発明の実施の形態１による既設エレベーター遠隔仕様検討システムを示す構成図である。
【図２】この発明の実施の形態１による既設エレベーター遠隔仕様検討システムにおける顧客ＰＣ、仕様検討サーバー及びエレベーター群管理盤間のプログラムにしたがって実行される動作の流れ及びデータの流れを示すフローチャートである。
【図３】この発明の実施の形態１による既設エレベーター遠隔仕様検討システムのデータベースの構成を示す図である。
【図４】この発明の実施の形態１による既設エレベーター遠隔仕様検討システムの顧客ＰＣでの入出力画面イメージを示す図である。
【図５】この発明の実施の形態１による既設エレベーター遠隔仕様検討システムの仕様検討手段の詳細フローを示す図である。
【図６】この発明の実施の形態１による既設エレベーター遠隔仕様検討システムの見積もり演算手段の詳細フローを示す図である。
【図７】この発明の実施の形態１による既設エレベーター遠隔仕様検討システムの動作表示展開手段の詳細フローを示す図である。
【符号の説明】
【００１９】
１  エレベーター群管理盤
２  仕様検討サーバー
３  データベース
４  顧客ＰＣ
５  インターネット
【図１】
2006131325.tif 000003
【図２】
2006131325.tif 000004
【図３】
2006131325.tif 000005
【図４】
2006131325.tif 000006
【図５】
2006131325.tif 000007
【図６】
2006131325.tif 000008
【図７】
2006131325.tif 000009